(57)【特許請求の範囲】
【請求項１】
長手方向に延びた本体を有する電子部品を回路基板に保持する構造であって、
前記電子部品は、前記回路基板に嵌まる嵌合部を設けたホルダによって、前記本体の長手方向が回路基板の上面又は下面に略平行な横向きの姿勢に保持されて、該保持姿勢にてホルダの嵌合部の高さ位置は、前記本体の上端と下端の間に位置し、
前記電子部品は前記本体の一端部から一対の端子を突出し、該電子部品を保持したホルダが回路基板に取り付けられた状態で、該端子は前記回路基板を挟んで、前記回路基板の互いの反対側の面に接することを特徴とする保持構造。
【請求項２】
請求項１記載の保持構造を用いた電気機器。
【請求項３】
前記電子部品はコンデンサであって、デジタルカメラのストロボ用に用いられる請求項２記載の電気機器。
【発明の詳細な説明】
【技術分野】
【０００１】
本発明は、電子部品を回路基板に保持する構造、及び該構造を用いた電気機器に関し、具体的にはストロボ用のコンデンサを回路基板に保持する構造、及び該構造を用いたデジタルカメラに関する。
【背景技術】
【０００２】
図９は、従来のデジタルカメラの内部ブロック図である(例えば、特許文献１参照)。撮像レンズ(21)は駆動機構(図示せず)により、光軸に沿って移動可能であり、被写体の像は撮像レンズ(21)により絞り(54)を通ってＣＣＤ(５)上に結ばれる。ＣＣＤ(５)は受けた光信号を電気信号である画像信号に変換して出力し、該画像信号はＣＤＳ(相関二重サンプリング)回路(50)によりノイズが低減された後に、ＡＧＣ(自動利得制御)回路(51)によりレベルが調整される。画像信号は、Ａ／Ｄコンバータ(55)にてデジタル信号に変換され、信号処理部(52)にて黒レベルやホワイトバランスが調整された後に、制御手段であるＣＰＵ(１)に入力する。ＣＰＵ(１)にはシャッタ釦の信号が入力され、画像信号は圧縮伸長回路(53)にて圧縮されてメモリカード(４)内に格納される。
ＣＰＵ(１)にはストロボユニット(30)が接続され、該ストロボユニット(30)はストロボランプ(３)に繋がった発光回路(31)と、コンデンサ(６)と、コンデンサ(６)を充電する充電回路(32)を具える。
充電後に、シャッタ釦が押されると、コンデンサ(６)に充電されていた電荷がストロボランプ(３)に瞬時に流れてストロボランプ(３)が発光する。
図１０及び図１１は、発光回路(31)及び充電回路(32)が搭載された回路基板(２)と、コンデンサ(６)の取付け構造を示す図である。コンデンサ(６)は本体(60)から一対の端子(61)(61)を突出して構成され、図１０に示すように、端子(61)(61)は本体(60)の下方に位置する回路基板(２)上の孔に通された後に、半田付けされる。
【０００３】
【特許文献１】特開２００１−３５８９８８号公報
【発明の開示】
【発明が解決しようとする課題】
【０００４】
図１０に示す取付け構造では、回路基板(２)の下面からコンデンサ(６)の上端までの高さが高くなり、コンデンサ(６)と回路基板(２)を配置するスペースが小さいときには対応できない。この点に鑑みて、図１１に示すように、コンデンサ(６)の本体(60)を横向きにし、端子(61)(61)を折曲して、回路基板(２)に取り付けることも考えられる。即ち、コンデンサ(６)の本体(60)は横向きで、回路基板(２)とは略平行である。
しかし、これでもコンデンサ(６)の本体(60)下面から回路基板(２)の下面までは、間隔Ｈが必要となり、コンデンサ(６)と回路基板(２)を配置すべきスペースが狭い場合には、やはり対応できない。また、端子(61)(61)のみで本体(60)を支持しており、コンデンサ(６)の取付け強度が弱い問題もある。
本発明の目的は、狭いスペースに電子部品と回路基板(２)を配置でき、スペースの有効利用を図るとともに、電子部品の取付け強度を高めることにある。
【課題を解決するための手段】
【０００５】
長手方向に延びた本体(60)を有する電子部品を回路基板(２)に保持する構造であって、電子部品は回路基板(２)に嵌まる嵌合部を設けたホルダ(７)によって、本体(60)の長手方向が回路基板(２)の上面又は下面に略平行な横向きの姿勢に保持されて、該保持姿勢にてホルダ(７)の嵌合部の高さ位置は、本体(60)の上端と下端の間に位置する。
また電子部品を保持したホルダ(７)が回路基板(２)に取り付けられた状態で、電子部品の端子(61)(61)は回路基板(２)を挟んで、回路基板(２)の互いの反対側の面に接する。
【発明の効果】
【０００６】
１．ホルダ(７)によって、電子部品は本体(60)の長手方向が回路基板(２)の上面又は下面に略平行な横向きの姿勢にて保持される。該保持姿勢にてホルダ(７)の嵌合部の高さ位置は、本体(60)の上端と下端の間に位置する。即ち、電子部品がホルダ(７)を介して回路基板(２)に保持された姿勢にて、電子部品と回路基板(２)との間には、高さ方向に隙間が無い。これにより、小さなスペースであっても、コンデンサ(６)と回路基板(２)を配置でき、スペースの有効利用を図ることができる。
また、電子部品は回路基板(２)に嵌合するホルダ(７)にて保持されるから、電子部品の回路基板(２)に対する取付け強度を高め、且つ安定させることができる。
２．また、電子部品を保持したホルダ(７)が回路基板(２)に取り付けられた状態で、電子部品の端子(61)(61)は回路基板(２)を挟んで、回路基板(２)の互いの反対側の面に接する。仮に、両方の端子(61)(61)がともに回路基板(２)の同じ面に取り付けられるとすると、回路基板(２)の厚み分だけ、電子部品の位置が高くなる。端子(61)(61)が回路基板(２)を挟んで、回路基板(２)の互いの反対側の面に接することにより、回路基板(２)に対する電子部品の高さ位置を低くすることができる。
【発明を実施するための最良の形態】
【０００７】
以下、本発明の一実施例を、図を用いて詳述する。
図１は、デジタルカメラの斜視図である。レンズ部(81)及びストロボランプ(３)を具えた第１キャビネット(８)には、把持部である第２キャビネット(80)がジョイント部(82)によって枢支され、第１キャビネット(８)は第２キャビネット(80)に対して回転可能に設けられる。第１キャビネット(８)内にてレンズ部(81)の側方には、ストロボユニット(30)が設けられ、ストロボユニット(30)は回路基板(２)とコンデンサ(６)とホルダ(７)を具える。本例にあっては、レンズ部(81)とジョイント部(82)との間に挟まれた狭いスペースにストロボユニット(30)を配備する点に１つの特徴がある。
【０００８】
図２は、ストロボユニット(30)の組立て斜視図であり、図３は、ストロボユニット(30)の分解斜視図である。コンデンサ(６)はホルダ(７)を介して回路基板(２)に取り付けられる。コンデンサ(６)は長手方向に延びた円筒状の本体(60)と、該本体(60)の一端部から外向きに延びた一対の端子(61)(61)を具える。回路基板(２)は、本体(60)に沿って延びた第１板(20)と、第１板(20)の端部から第１板(20)の長手方向に略直交した向きに延びた第２板(21)を具え、第２板(21)の表裏両面に端子(61)(61)が半田付けされるパターン面(図示せず)が設けられている。ホルダ(７)は合成樹脂製であって、本体(60)に沿って延びた保持片(70)と、該保持片(70)の一端部に設けられて端子(61)(61)が嵌まる支持板(71)を一体に具えている。
図４(a)、(c)はホルダ(７)の斜視図であり、図４(b)はホルダ(７)を図４(a)のＡ方向から見た図である。保持片(70)は本体(60)の直径よりも低い高さ幅に形成され、外側に回路基板(２)の第１板(20)の右側端縁に嵌まる第１嵌合溝(72)を形成し、該第１嵌合溝(72)は本体(60)の長手方向に沿って延びている。保持片(70)の一端部からは第１爪片(73)が設けられ、該第１爪片(73)は第１板(20)に開設された第１孔(22)(図３参照)に嵌まる。保持片(70)の内側には、両面テープ(45)が貼り付けられて、コンデンサ(６)の本体(60)と保持片(70)とを接着する。
【０００９】
支持板(71)の外側には、回路基板(２)の第２板(21)の端縁に嵌まる第２嵌合溝(74)が開設され、該第２嵌合溝(74)の側方からは第２爪片(75)が突出している。第２爪片(75)は第２板(21)に開設された第２孔(23)(図３参照)に嵌まる。支持板(71)には、端子(61)(61)が嵌まって突出する２つの端子孔(76)(76)及び第２板(21)から突出した突起(24)に嵌まる角孔(77)が開設されている。
【００１０】
(ホルダの取付け)
コンデンサ(６)を回路基板(２)に取り付けるには、先ず回路基板(２)にホルダ(７)を取り付けてから、ホルダ(７)にコンデンサ(６)を取り付ける。回路基板(２)にホルダ(７)を取り付けるには、図３に示すように、第１嵌合溝(72)を第１板(20)の端縁に嵌めてから、ホルダ(７)を第２板(21)に向けて移動させる。ホルダ(７)の第２嵌合溝(74)が第２板(21)の端縁に嵌まり、第２爪片(75)は第２板(21)上の第２孔(23)に嵌まる。角孔(77)は突起(24)に嵌まる。また、第１爪片(73)が第１板(20)の第１孔(22)に引掛かり、ホルダ(７)は回路基板(２)上に固定される。
【００１１】
ホルダ(７)の内側に、両面テープ(45)を貼り付けて、図５に示すように、コンデンサ(６)を端子(61)(61)を支持板(71)に向けてホルダ(７)に挿入する。端子(61)(61)は端子孔(76)(76)を貫通して、第２板(21)上に接する。コンデンサ(６)の本体(60)は両面テープ(45)にてホルダ(７)の内面に接着される。
ホルダ(７)によって、コンデンサ(６)は本体(60)の長手方向が回路基板(２)の上面又は下面に略平行な姿勢にて横向きに保持される。回路基板(２)は、本体(60)の上端と下端間の中心に位置する。ホルダ(７)は第１嵌合溝(72)が第１板(20)の端縁に嵌まっているから、ホルダ(７)と回路基板(２)の嵌合箇所の高さ位置は、本体(60)の上端と下端の間に位置する。即ち、コンデンサ(６)がホルダ(７)を介して回路基板(２)に保持された姿勢にて、コンデンサ(６)と回路基板(２)との間には、高さ方向に隙間が無い。これにより、狭いスペースであっても、コンデンサ(６)と回路基板(２)を配置でき、スペースの有効利用を図ることができる。
【００１２】
図６は、図５をＢ方向から見た図であり、図７は図２を上下逆に見た斜視図である。端子(61)(61)は回路基板(２)を挟んで、回路基板(２)の互いの反対側の面に接して半田付けされる。これにより、回路基板(２)に対する本体(60)の高さ位置が高くなることを防いでいる。即ち、端子(61)(61)が図８に実線で示すように、回路基板(２)の一方の面に半田付けされると、点線で示すように端子(61)(61)にて回路基板(２)を挟んだ場合に比して、本体(60)の高さが高くなる。回路基板(２)の板厚を０.８ｍｍ、端子(61)の直径を０.６ｍｍとすると、実線で示す本体(60)の高さと点線で示す本体(60)の高さでは、(０.８＋０.６)／２＝０.７ｍｍの差がある。従って、端子(61)(61)にて回路基板(２)を挟むことにより、狭いスペースにストロボユニット(30)を配備することを可能にしている。
また、コンデンサ(６)は回路基板(２)に嵌合するホルダ(７)にて保持されるから、コンデンサ(６)の回路基板(２)に対する取付け強度、特に端子(61)(61)の半田付け強度を高め、且つ安定させることができる。即ち、端子(61)(61)を回路基板(２)に半田付けしただけでは、端子(61)(61)のみで本体(60)を支持しており、強度的に不安定であり、本体(60)に不用意な力が加わると、半田付けが外れる虞れがある。これに対し、本例にあっては、ホルダ(７)にてコンデンサ(６)の本体(60)と端子(61)(61)を支持しているから、強度的に安定しており、本体(60)に不用意な力が加わっても、該力が端子(61)(61)に直接加わらず、半田付けが外れにくい。
【００１３】
上記例では、電子部品として、コンデンサ(６)を例示したが、一対の端子(61)(61)を設けた電子部品ならば、他に置換が可能である。また、電気機器として、デジタルカメラを例示したが、他の電気機器でもよい。
【００１４】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００１５】
【図１】デジタルカメラの斜視図である。
【図２】ストロボユニットの組立て斜視図である。
【図３】ストロボユニットの分解斜視図である。
【図４】(a)、(c)はホルダの斜視図であり、(b)はホルダを(a)のＡ方向から見た図である。
【図５】ストロボユニットの分解斜視図である。
【図６】図５をＢ方向から見た図である。
【図７】図２を上下逆に見た斜視図である。
【図８】端子の回路基板への取付け状態を示す図である。
【図９】従来のデジタルカメラの内部ブロック図である。
【図１０】回路基板とコンデンサの取付け構造を示す図である。
【図１１】回路基板とコンデンサの取付け構造を示す図である。
【符号の説明】
【００１６】
(２)  回路基板
(６)  コンデンサ
(７)  ホルダ
(60)  本体
(61)  端子
【図１】
0004667156.tif 000002
【図２】
0004667156.tif 000003
【図３】
0004667156.tif 000004
【図４】
0004667156.tif 000005
【図５】
0004667156.tif 000006
【図６】
0004667156.tif 000007
【図７】
0004667156.tif 000008
【図８】
0004667156.tif 000009
【図９】
0004667156.tif 000010
【図１０】
0004667156.tif 000011
【図１１】
0004667156.tif 000012